(57)【要約】  本実装形態のいくつかは、ユーザ機器（ＵＥ）によって測定結果をレポートするための方法を提供する。本方法は、ＵＥにおいて、無線リソース制御（ＲＲＣ）解放メッセージを受信してＲＲＣ非アクティブ状態に遷移する。本実装形態のいくつかの方法は、ＲＲＣ非アクティブ状態にある間に、測定を遂行する。次いで、本方法は、基地局から測定結果のための要求を含むＲＲＣ再開メッセージを受信する。ＲＲＣ再開メッセージを受信した後、本方法は、測定結果をＲＲＣ再開完了メッセージ内で基地局に送信する。
2021531696.tif 000002
【特許請求の範囲】
【請求項１】
ユーザ機器（ＵＥ）が測定結果をレポートする方法であって、前記方法は、
前記ＵＥにおいて、無線リソース制御（ＲＲＣ）解放メッセージを受信してＲＲＣ非アクティブ状態に遷移すること、
前記ＲＲＣ非アクティブ状態の間に、測定を遂行すること、
基地局から、前記測定結果のための要求を含むＲＲＣ再開メッセージを受信すること、及び
ＲＲＣ再開完了メッセージ内で前記基地局へ前記測定結果を送信すること、
を含む方法。
【請求項２】
前記基地局から受信された前記ＲＲＣ解放メッセージは、測定設定を更に含み、前記測定を遂行することは、前記ＲＲＣ解放メッセージにおいて受信された前記測定設定に基づいて前記測定を遂行することを含む、請求項１に記載の方法。
【請求項３】
前記測定を遂行する前に、ブロードキャストシステム情報を介して測定設定を受信することを更に含み、前記測定を遂行することは、前記測定設定に基づいて前記測定を遂行することを含む、請求項１に記載の方法。
【請求項４】
前記測定結果は、ビームレベル測定を含む、請求項１に記載の方法。
【請求項５】
前記ビームレベル測定は、少なくとも、最も強いビーム品質を有する少なくとも一つの最良のビームについての識別を含む、請求項４に記載の方法。
【請求項６】
ネットワークが前記最良のビーム以外の一つ以上のビームについての測定結果を必要とするとき、前記ビームレベル測定は、少なくとも前記一つ以上のビームについての識別を更に含む、請求項５に記載の方法。
【請求項７】
前記測定結果を前記基地局に送信した後、前記基地局から第１のＲＲＣ再構成メッセージを受信してデュアル接続（ＤＣ）モード及びキャリアアグリゲーション（ＣＡ）モードのうちの少なくとも一つをセットアップすることを更に含む、請求項１に記載の方法。
【請求項８】
前記測定結果に関わりなく、以前のＤＣモードを再開するために、前記基地局にインジケータを送信することを更に含む、請求項１に記載の方法。
【請求項９】
前記ＲＲＣ非アクティブ状態において前記測定を遂行する前に、ＲＲＣ非アクティブ状態における測定に関連付けられたインジケータを含むブロードキャストシステム情報を受信することを更に含む、請求項１に記載の方法。
【請求項１０】
ユーザ機器（ＵＥ）であって：
前記ＵＥが無線リソース制御（ＲＲＣ）非アクティブ状態の間に、測定結果をレポートするためのコンピュータ実行可能命令を有する一つ以上の非一時的コンピュータ読み取り可能媒体と；
前記一つ以上の非一時的コンピュータ読み取り可能媒体に結合され、前記コンピュータ実行可能命令を実行することにより：
前記ＵＥにおいて、ＲＲＣ解放メッセージを受信してＲＲＣ非アクティブ状態に遷移し、
ＲＲＣ非アクティブ状態の間に、測定を遂行し、
基地局から、前記測定結果のための要求を含むＲＲＣ再開メッセージを受信し、
ＲＲＣ再開完了メッセージ内で前記基地局へ前記測定結果を送信する
ように構成される少なくとも一つのプロセッサと、
を含むユーザ機器（ＵＥ）。
【請求項１１】
前記基地局から受信された前記ＲＲＣ解放メッセージは、測定設定を更に含み、前記測定を遂行するように前記コンピュータ実行可能命令を実行することは、前記ＲＲＣ解放メッセージにおいて受信された前記測定設定に基づいて前記測定を遂行するように前記コンピュータ実行可能命令を実行することを含む、請求項１０に記載のＵＥ。
【請求項１２】
前記プロセッサは、更に、前記測定を遂行する前に、ブロードキャストシステム情報を介して測定設定を受信するように前記コンピュータ実行可能命令を実行するように構成され、ここで前記測定を遂行するように前記コンピュータ実行可能命令を実行することは、前記測定設定に基づいて前記測定を遂行するように前記コンピュータ実行可能命令を実行することを含む、請求項１０に記載のＵＥ。
【請求項１３】
前記測定結果は、ビームレベル測定を含む、請求項１０に記載のＵＥ。
【請求項１４】
前記ビームレベル測定は、少なくとも、最も強いビーム品質を有する少なくとも一つの最良のビームについての識別を含む、請求項１３に記載のＵＥ。
【請求項１５】
ネットワークが前記最良のビーム以外の一つ以上のビームについての測定結果を必要とするとき、前記ビームレベル測定は、少なくとも前記一つ以上のビームについての識別を更に含む、請求項１４に記載のＵＥ。
【請求項１６】
前記プロセッサは、前記測定結果を前記基地局に送信した後、前記基地局から第１のＲＲＣ再構成メッセージを受信して、デュアル接続（ＤＣ）モード及びキャリアアグリゲーション（ＣＡ）モードのうちの少なくとも一つをセットアップするように、前記コンピュータ実行可能命令を実行するように更に構成される、請求項１０に記載のＵＥ。
【請求項１７】
前記プロセッサは、前記測定結果に関わりなく、以前のＤＣモードを再開するために、インジケータを前記基地局に送信するように、前記コンピュータ実行可能命令を実行するように更に構成される、請求項１０に記載のＵＥ。
【請求項１８】
前記プロセッサは、前記ＲＲＣ非アクティブ状態において前記測定を遂行する前に、ＲＲＣ非アクティブ状態における測定に関連付けられたインジケータを含むブロードキャストシステム情報を受信するように、前記コンピュータ実行可能命令を実行するように更に構成される、請求項１０に記載のＵＥ。
【発明の詳細な説明】
【発明の詳細な説明】
【０００１】
〔関連出願の相互参照〕
本出願は、代理人整理番号ＵＳ７４５３９（以下、「ＵＳ７４５３９出願」と称する）を有する、「ＤＣ及びＣＡのためのセットアップ遅延の減少」と題する、２０１８年７月２０日に出願された仮米国特許出願第６２／７０１，０１６号の利益及び優先権を主張する。ＵＳ７４５３９出願の開示は、参照により本出願に完全に組み込まれる。
【０００２】
〔分野〕
本開示は一般に、無線通信に関し、より詳細には、次世代ワイヤレスネットワークにおける早期測定結果をレポートすることに関する。
【０００３】
〔背景〕
新しい無線（new radio:ＮＲ）において、ユーザ機器（user equipment:ＵＥ）は、（例えば電力節約のため）無線リソース制御（radio resource control:ＲＲＣ）非アクティブ状態に頻繁に遷移してよい。ＵＥがネットワーク（network:ＮＷ）からサスペンド設定を含む無線リソース制御（ＲＲＣ）解放メッセージを受信するとき、ＵＥは、ＲＲＣ非アクティブ状態に遷移する。しかし、上りリンク（uplink:ＵＬ）及び／又は下りリンク（downlink:ＤＬ）送信が必要とされるとき、ＵＥは、ＲＲＣ接続再開手順をトリガすることによって、（例えばサービングセルへ）接続を再開してよい。ＵＥがＲＲＣ接続状態に戻った後、ＮＷ（例えばサービングセル）は、新しい測定（例えば周波数間測定）を開始するために、測定設定をＵＥに送ってよい。ＵＥが測定設定を受信した後、ＵＥが測定を遂行し、測定結果をＮＷにレポートすることは、長時間を要することがある。一方、ＮＷは、（必要に応じて）ＵＥのためのデュアル接続（dual connectivity:ＤＣ）モード又はキャリアアグリゲーション（carrier aggregation:ＣＡ）モードをセットアップすることができるように測定結果を要求してよい。ＵＥがＵＬ／ＤＬ送信を容易にするためにＤＣモード及び／又はＣＡモードがＵＥのためにセットアップされる前でさえ、ＵＥがＵＬ／ＤＬ送信を終了し、ＲＲＣ非アクティブ状態に戻る可能性があるため、測定結果のレポートにおける遅延は、ミリ波（ｍｍＷ）帯域（又はより高い周波数）といった、特により高い周波数帯域において、無線リソースの利用率を劣化させる可能性がある。
【０００４】
次世代ワイヤレスネットワーク（例えばＮＲ−Ｅ−ＵＴＲＡデュアル接続（NR-E-UTRA Dual Connectivity:ＮＥ−ＤＣ）、次世代Ｅ−ＵＴＲＡ−ＮＲデュアル接続（Next Generation E-UTRA-NR Dual Connectivity:ＮＧＥＮ−ＤＣ）、及びＮＲ−ＮＲ  ＤＣ状態、又はＮＲ  ＣＡ状態）において、ＤＣモード（又はＣＡモード）に入るためのセットアップ時間遅延を減少することは、ＵＥがＲＲＣ非アクティブ状態からＲＲＣ接続状態に遷移するときに、より高い周波数帯域（例えばｍｍＷ帯域）を介するデータ送信に有益である。
【０００５】
〔概要〕
本開示は、次世代無線ネットワークにおける早期測定（early measurement）結果をレポートすることを対象とする。
【０００６】
本出願の第１の態様において、ユーザ機器（ＵＥ）が測定結果をレポートするための方法が提供される。本方法は、ＵＥにおいて、無線リソース制御（ＲＲＣ）解放メッセージを受信してＲＲＣ非アクティブ状態に遷移すること、ＲＲＣ非アクティブ状態にある間に測定を遂行すること、測定結果のための要求を含むＲＲＣ再開メッセージを、基地局から受信すること、及びＲＲＣ再開完了メッセージ内で測定結果を基地局に送信することを含む。
【０００７】
第１の態様の実装形態において、基地局から受信されたＲＲＣ解放メッセージは、測定設定を更に含み、測定を遂行することは、ＲＲＣ解放メッセージにおいて受信した測定設定に基づいて測定を遂行することを含む。
【０００８】
第１の態様の別の実装形態は、測定を遂行する前に、ブロードキャストシステム情報を介して測定設定を受信することを更に含み、測定を遂行することは、測定設定に基づいて測定を遂行することを含む。
【０００９】
第１の態様の別の実装形態において、測定結果は、ビームレベル測定を含む。
【００１０】
第１の態様の別の実装形態において、ビームレベル測定は、少なくとも、最も強いビーム品質を有する少なくとも一つの最良のビームについての識別を含む。
【００１１】
第１の態様の別の実装形態において、ネットワークが最良のビーム以外の一つ以上のビームのための測定結果を必要とするとき、ビームレベル測定は、少なくとも当該一つ以上のビームについての識別を更に含む。
【００１２】
第１の態様の別の実装形態において、基地局は、ＵＥから測定結果を受信した後に、ＵＥに第１のＲＲＣ再構成メッセージを送ることによって、ＵＥのためのデュアル接続（ＤＣ）モード及びキャリアアグリゲーション（ＣＡ）モードのうちの少なくとも一つをセットアップする。
【００１３】
第１の態様の別の実装形態は、測定結果に関係なく、以前のデュアル接続モードを再開するためのインジケータを基地局に送信することを更に含む。
【００１４】
第１の態様の別の実装形態は、ＲＲＣ非アクティブ状態において測定を遂行する前に、ＲＲＣ非アクティブ状態における測定に関連付けられたインジケータを含むブロードキャストシステム情報を受信することを更に含む。
【００１５】
本出願の第２の態様において、ＵＥが提供される。ＵＥは、ＵＥが無線リソース制御（ＲＲＣ）非アクティブ状態の間に、測定結果をレポートするためのコンピュータ実行可能命令を有する一つ以上の非一時的コンピュータ読み取り可能媒体と、一つ以上の非一時的コンピュータ読み取り可能媒体に結合され、コンピュータ実行可能命令を実行することにより、ＵＥにおいて、ＲＲＣ解放メッセージを受信してＲＲＣ非アクティブ状態に遷移し、ＲＲＣ非アクティブ状態の間に、測定を遂行し、基地局から、測定結果のための要求を含むＲＲＣ再開メッセージを受信し、ＲＲＣ再開完了メッセージ内で基地局に測定結果を送信するように構成された、少なくとも一つのプロセッサを含む。
【００１６】
〔図面の簡単な説明〕
例示的な開示の態様は、添付の図面と共に読まれるとき、以下の詳細な説明から最も良く理解される。様々な特徴は、一定の縮尺で描かれておらず、様々な特徴の寸法は、議論を明確にするために任意に増減されてよい。
【００１７】
図１は、本出願の例示的な実装形態による、ＵＥがＲＲＣ非アクティブ状態にある間に、サービング基地局のための早期測定結果を準備するためにＵＥによって遂行される方法（又はプロセス）を示すフローチャートである。
【００１８】
図２は、本出願の例示的な実装形態による、ＵＥによって早期測定を遂行すること、及び早期測定結果をサービングセルに提供することのための例示的な実装形態を示す図である。
【００１９】
図３は、本出願の例示的な実装形態による、ＵＥがＲＲＣ非アクティブ状態にある間に、早期測定結果を準備し、要求に応じて結果をサービング基地局に送信するためにＵＥによって遂行される方法（又はプロセス）を示すフローチャートである。
【００２０】
図４は、本出願の例示的な実装形態による、早期測定結果を準備すること、及び送信することのための例示的な実装形態を示す図である。
【００２１】
図５は、本出願の例示的な実装形態による、早期測定結果を準備すること、及び送信することのための例示的な実装形態を示す図である。
【００２２】
図６は、本出願の例示的な実装形態による、ＵＥのためのデュアル接続性（ＤＣ）／キャリアアグリゲーション（ＣＡ）モードをセットアップするための例示的な実装形態を示す図である。
【００２３】
図７は、本出願の例示的な実装形態による、ＵＥのためのＤＣ／ＣＡモードをセットアップするための例示的な実装形態を示す図である。
【００２４】
図８は、本出願の様々な態様に従った、無線通信のためのノードのブロック図を示す。
【００２５】
〔詳細な説明〕
以下の説明は、本開示における例示的な実装形態に関連する特定の情報を格納する。本開示における図面及びそれらの添付の詳細な説明は、単に例示的な実装形態を対象としている。しかし、本開示は、これらの例示的な実装形態のみに限定されるものではない。本開示の他の変形及び実装形態は、当業者には想起されるであろう。特に断らない限り、複数の図中の同様の又は対応する要素は、同様の又は対応する参照番号によって示され得る。更に、本開示における図面及び例示は、ほとんどの場合、一定の縮尺ではなく、実際の相対的な寸法に対応することを意図していない。
【００２６】
一貫性及び容易な理解のために、同様の特徴は（いくつかの例において、図示されていないが）、例としての図において数字によって識別される。しかし、異なる実装形態における特徴は、他の点で異なっていてもよく、したがって、図面に示されるものに狭く限定されるものではない。
【００２７】
「一つの実装形態」、「一実装形態」、「例としての実装形態」、「様々な実装形態」、「いくつかの実装形態」、「本出願のいくつかの実装形態」などへの言及は、そのように説明された本出願の実装形態（複数可）が特定の特徴、構造、又は特性を含んでよいが、本出願のすべての可能な実装形態が特定の特徴、構造、又は特性を必ずしも含むわけではないことを示してよい。更に、「一つの実装形態において」又は「一実装形態において」、「一実装形態」という語句の繰り返し使用は、必ずしも同じ実装形態を指すわけではない。更に、「本出願」に関連する「実装形態」のような語句の使用は、本出願のすべての実装形態が特定の特徴、構造、又は特性を含まなければならないことを特徴付けることを決して意味せず、代わりに、「本出願の少なくともいくつかの実装形態」は、述べられた特定の特徴、構造、又は特性を含むことを意味すると理解されるべきである。「結合された」という用語は、直接的であろうと間接的であろうと、必ずしも物理的な接続に限定されるものではない。「含む」という用語は、利用される場合、「含んでいるが、必ずしもこれに限定されない」を意味し、特に、そのように記載された組合せ、群、系列及び等価物におけるオープンエンドの包含又はメンバーシップを意味する。
【００２８】
更に、説明及び非限定の目的のために、機能エンティティ、技法、プロトコル、標準などといった具体的な詳細が、説明される技術の理解を実現するために記載される。他の例において、不必要な詳細が、説明を不明瞭にしないために、周知の方法、技術、システム、アーキテクチャなどの詳細な説明は、省略される。
【００２９】
本明細書の「及び／又は」という用語は、関連するオブジェクトを記述するための関連関係のみであり、例えば、Ａ及び／又はＢは、Ａが単独で存在し、Ａ及びＢが同時に存在し、及びＢが単独で存在することを表すことができる、３つの関係が存在し得ることを表す。更に、本明細書で使用される文字「／」は、前者及び後者の関連するオブジェクトが「又は」関係にあることを一般に表す。
【００３０】
更に、「Ａ、Ｂ、又はＣのうちの少なくとも一つ」、「Ａ、Ｂ、及びＣのうちの少なくとも一つ」及び「Ａ、Ｂ、Ｃ又はそれらの任意の組み合わせ」は、Ａ、Ｂ、及び／又はＣの任意の組み合わせを含み、複数のＡ、複数のＢ、又は複数のＣを含んでよい。とりわけ、「Ａ、Ｂ又はＣの少なくとも一つ」、「Ａ、Ｂ及びＣの少なくとも一つ」及び「Ａ、Ｂ、Ｃ又はそれらの任意の組み合わせ」は、任意の組み合わせであり、Ａのみ、Ｂのみ、Ｃのみ、Ａ及びＢ、Ａ及びＣ、Ｂ及びＣ、又はＡ及びＢ及びＣといった組み合わせは、一つ以上のＡ、Ｂ又はＣのメンバー又はメンバーズを格納してよい。当業者に既知である又は後に既知となる、本開示を通して記述された様々な態様の要素に相当する全ての構造的及び機能的な物は、参照により本明細書に明確に組み込まれ、特許請求の範囲に包含されることが意図される。
【００３１】
当業者は、本開示に記載されている任意のネットワーク機能（複数可）又はアルゴリズム（複数可）がハードウェア、ソフトウェア、又はソフトウェア及びハードウェアの組み合わせによって実行されてもよいことを直ちに理解するだろう。説明される機能は、ソフトウェア、ハードウェア、ファームウェア、又はそれらの任意の組み合わせであるモジュールに対応してよい。ソフトウェアの実装形態は、メモリ又は他の種類の記憶装置といったコンピュータ読み取り可能媒体に記憶されたコンピュータ実行可能命令を含んでよい。例えば、通信処理能力を有する一つ以上のマイクロプロセッサ又は汎用コンピュータは、対応する実行可能命令でプログラム化され、記載されているネットワーク機能（複数可）又はアルゴリズム（複数可）を実行してよい。マイクロプロセッサ又は汎用コンピュータは、特定用途向け集積回路（Applications Specific Integrated Circuitry:ＡＳＩＣ）、プログラマブルロジックアレイ、及び／又は一つ以上のデジタルシグナルプロセッサ（digital signal processor:ＤＳＰｓ）を用いて形成されてよい。本明細書に記載されている例としての実装形態のいくつかは、コンピュータ・ハードウェア上にインストールされ実行されるソフトウェアを指しているが、それでもなお、ファームウェアとして、又はハードウェアとして、又はハードウェアとソフトウェアの組合せとして実装される代替の例としての実装形態は、本開示の範囲内に十分にある。
【００３２】
コンピュータ読み取り可能媒体は、ランダムアクセスメモリ（random access memory:ＲＡＭ）、読み取り専用メモリ（read only memory:ＲＯＭ）、消去可能プログラマブル読取り専用メモリ（erasable programmable read-only memory:ＥＰＲＯＭ）、電気的消去可能プログラマブル読み取り専用メモリ（electrically erasable programmable read-only memory:ＥＥＰＲＯＭ）、フラッシュメモリ、コンパクトディスク読み取り専用メモリ（compact disc read-only memory:ＣＤ  ＲＯＭ）、磁気カセット、磁気テープ、磁気ディスク記憶装置、又はコンピュータ読み取り可能命令を記憶することができる任意の他の同等の媒体が挙げられるが、これらに限定されない。
【００３３】
無線通信ネットワークアーキテクチャ（例えばロングタームエボリューション（long term evolution:ＬＴＥ）システム、ＬＴＥ−Ａｄｖａｎｃｅｄ（ＬＴＥ−Ａ）システム、又はＬＴＥ−Ａｄｖａｎｃｅｄ  Ｐｒｏシステム）は、一般的に、少なくとも一つの基地局、少なくとも一つのＵＥ、及びネットワークへの接続を提供する一つ以上の任意のネットワーク要素を含む。ＵＥは、基地局によって確立された無線アクセスネットワーク（radio access network:ＲＡＮ）によって、ネットワーク（例えばＣＮ、エボルブドパケットコア（evolved packet core:ＥＰＣ）ネットワーク、エボルブドユニバーサルテレストリアル無線アクセスネットワーク（Evolved Universal Terrestrial Radio Access network:Ｅ−ＵＴＲＡＮ）、次世代コア（Next-Generation Core:ＮＧＣ）、５Ｇコアネットワーク（５ＧＣ）、又はインターネット）と通信する。
【００３４】
なお、本出願において、ＵＥは、移動局、携帯端末又はデバイス、ユーザ通信無線端末を含むが、これらに限定されない。例えば、ＵＥは、携帯無線装置であってよく、携帯無線装置は、無線通信能力を有する携帯電話、タブレット、ウェアラブルデバイス、センサ、又は個人用デジタル補助装置（Personal Digital Assistant:ＰＤＡ）を含むが、これらに限定されない。ＵＥは、無線アクセスネットワークにおいて、一つ以上のセルと、エアーインターフェース上で、信号を送受信するよう構成されている。
【００３５】
基地局は、ユニバーサル・モバイル・テレコミュニケーション・システム（Universal Mobile Telecommunication System:ＵＭＴＳ）におけるようなノードＢ（node B:ＮＢ）、ＬＴＥ−Ａにおけるような進化型ノードＢ（evolved node B:ｅＮＢ）、ＵＭＴＳにおけるような無線ネットワークコントローラ（Radio Network Controller:ＲＮＣ）、グローバル・システム・フォー・モバイル・コミュニケーション（Global System for Mobile communications:ＧＳＭ）／ＧＳＭ  ＥＤＧＥ無線アクセス・ネットワーク（ＧＥＲＡＮ）におけるような基地局コントローラ（Base Station Controller:ＢＳＣ）、５ＧＣに関連するＥ−ＵＴＲＡ基地局におけるようなｎｇ−ｅＮＢ、５Ｇアクセス・ネットワーク（５Ｇ−ＡＮ）におけるような次世代ノードＢ（generation node B:ｇＮＢ）、及びセル内の無線通信を制御し、無線リソースを管理することができる任意の他の装置を含んでよいが、これらに限定されない。基地局は、ネットワークへの無線インターフェースによって、一つ以上のＵＥにサービスを提供するために接続してよい。
【００３６】
基地局は、以下の無線アクセス技術（Radio Access Technologies:ＲＡＴｓ）の少なくとも一つによる通信サービスを提供するために構成されてよい。マイクロ波アクセスのためのワールドワイド相互運用（Worldwide Interoperability for Microwave Access:ＷｉＭＡＸ）、モバイル通信のためのグローバルシステム（ＧＳＭ、しばしば２Ｇとして呼ばれる）、ＧＳＭ  ＥＤＧＥ無線アクセスネットワーク（ＧＥＲＡＮ）、汎用パケット無線サービス（General Packet Radio Service:ＧＲＰＳ）、基本広帯域コード分割多元アクセス（Ｗ−ＣＤＭＡ）に基づいたユニバーサルモバイル通信システム（ＵＭＴＳ、しばしば３Ｇとして呼ばれる）、高速パケットアクセス（High-Speed Packet Access:ＨＳＰＡ）、ＬＴＥ、ＬＴＥ−Ａ、ｅＬＴＥ（進化型ＬＴＥ、例えば５ＧＣに接続したＬＴＥ）、ＮＲ（しばしば５Ｇとして呼ばれる）、及び／又はＬＴＥ−Ａ  Ｐｒｏ。しかしながら本出願の範囲は、上記のプロトコルに限定されるべきではない。
【００３７】
基地局は、無線アクセスネットワークを形成する複数のセルを使用して、特定の地理的エリアに無線カバレッジを提供するために動作可能である。基地局は、セルの動作をサポートする。各セルは、その無線カバレッジ内の少なくとも一つのＵＥにサービスを提供するために動作可能である。より具体的には、各セル（しばしばサービングセルと呼ばれる）は、その無線カバレッジ内の一つ以上のＵＥを提供するサービスを提供する（例えば各セルは、下りリンクをスケジュールし、下りリンク及び任意で上りリンクのパケット送信のために、その無線カバレッジ内の少なくとも一つのＵＥに下りリンクリソースを任意で上りリンクする）。基地局は、複数のセルによって、無線通信システムにおける一つ以上のＵＥと通信することができる。セルは、近接サービス（proximity service:ＰｒｏＳｅ）をサポートするために、サイドリンク（sidelink:ＳＬ）リソースを割り当ててよい。各セルは、他のセルと重複するカバレッジ領域を有してよい。ＭＲ−ＤＣ（多層無線ディアル接続）の場合、ＭＣＧのプライマリセル（primary cell:ＰＣｅｌｌ）又はＳＣＧのプライマリセカンダリセルは、スペシャルセル（special cell:ＳｐＣｅｌｌ）と呼ばれることがある。したがって、ＰＣｅｌｌは、ＭＣＧのＳｐＣｅｌｌを指してよく、ＰＳＣｅｌｌはＳＣＧのＳｐＣｅｌｌを指してもよい。ＭＣＧは、ＳｐＣｅｌｌと、任意で一つ以上のセカンダリセル（secondary cells:ＳＣｅｌｌｓ）を含み、ＭＮに関連付けられたサービングセルのグループを含んでよい。ＳＣＧは、ＳｐＣｅｌｌ及び任意で一つ以上のＳＣｅｌｌｓを含んでいる、ＳＮと関連付けられたグループのサービングセルを含んでよい。
【００３８】
上述したように、ＮＲのためのフレーム構造は、高信頼性、高データ速度、及び低遅延性の要件を満たしながら、拡張モバイルブロードバンド（enhanced mobile broadband:ｅＭＢＢ）、大規模マシンタイプ通信（massive machine type communication:ｍＭＴＣ）、超高信頼通信、及び低遅延性通信（ultra-reliable communication and low latency communication:ＵＲＬＬＣ）といった様々な次世代（例えば５Ｇ）通信要件に対応するための柔軟な設定をサポートすることである。３ＧＰＰにおいて合意された直交周波数分割多重（orthogonal frequency-division multiplexing:ＯＦＤＭ）技術は、ＮＲ波形のための基準として提供してよい。適応サブキャリア間隔、チャンネル帯域幅、及びサイクリックプレフィックス（ＣＰ）といったスケーラブルなＯＦＤＭニューメロロジーは、使用されてもよい。更に、ＮＲには（１）低密度パリティ検査（low-density parity-check:ＬＤＰＣ）符号及び（２）ポーラ符号の二つの符号化方法が考慮される。符号化方法の適応は、チャンネル条件及び／又はサービスアプリケーションに基づいて設定されてもよい。
【００３９】
更に、単一のＮＲフレームの送信時間隔ＴＸにおいて、下りリンク（downlink:ＤＬ）送信データ、ガード期間、及び上りリンク（uplink:ＵＬ）送信データは、少なくとも含まれるべきであり、ＤＬ送信データ、ガード期間、及びガード期間のそれぞれの部分において、ＵＬ送信データはまた、例えばＮＲのネットワークダイナミクスに基づいて設定可能であるべきであることも考慮される。更に、サイドリンクリソースは、ＰｒｏＳｅサービスに、ＮＲフレーム内において提供されてもよい。
【００４０】
本実装形態のいくつかの態様において、ＮＷ（例えば基地局）は、ＵＥが無線リソース制御（ＲＲＣ）非アクティブ状態にある間、ＵＥが測定手順（複数可）を遂行してよいように、測定設定（例えば無線リソース管理（ＲＲＭ）測定設定）をＵＥに提供してよい。（例えば同じ又は異なる基地局への）接続を再開すると、ＵＥは、（レポート基準が満たされると仮定して）測定設定に基づいて準備された測定レポートをサービング基地局に送ってよい。その後、サービング基地局は、（接続が再開された後に）第１のＲＲＣ構成メッセージをＵＥに送ることによって、ＵＥのためのＤＣモード又はＣＡモードをセットアップしてよい。その結果、ＵＥは、ＵＥがＲＲＣ接続状態に戻った後、ＤＣ（又はＣＡ）モードにおいてＵＬ／ＤＬ送信を遂行することができてよい。
【００４１】
図１は、本出願の例示的な実装形態による、ＵＥがＲＲＣ非アクティブ状態にある間に、サービング基地局のための早期測定結果を準備するためにＵＥによって遂行される方法（又はプロセス）１００を示すフローチャートである。プロセス１００は、本実装形態のいくつかにおいて、アクション１１０において、ＵＥで、測定設定（例えば非アクティブ（ＲＲＭ）測定設定、又は早期測定設定）を受信し、受信した測定設定を記憶することによって開始してよい。上述したように、ＵＥのためのＤＣ又はＣＡモードをより高速にセットアップするために、ＵＥは、ＵＥが非アクティブ状態にある間、最初に早期測定を遂行し、次いで、早期測定結果をサービングセルに提供しなければならない場合がある。本実装形態のいくつかにおいて、ＵＥは、ＵＥが接続状態にある間、ＵＥがサービングセルから受信してよい早期測定設定に基づいて早期測定を遂行してよい。
【００４２】
本実装形態のいくつかの態様において、ＵＥは、ＲＲＣ非アクティブ状態に入るためにＵＥに命令するためのサスペンド設定を含んでよいＲＲＣ解放メッセージにおいて、早期測定設定（又は非アクティブ測定設定）を受信してよい。本実装形態のいくつかの他の態様において、ＵＥは、ＲＲＣ解放メッセージ以外の特定のＲＲＣメッセージにおいて、早期測定設定を受信してよい。本実装形態の更に他の態様において、ＵＥは、（専用信号によってではなく）ブロードキャストシステム情報内で非アクティブ（ＲＲＭ）測定設定（又は早期測定設定）を受信してよい。本実装形態のいくつかの態様において、早期測定のためのインジケータが存在する、又は「真」（又は「１」）にセットされている場合、ＵＥは非アクティブ（又は早期の）測定設定に基づいて測定を遂行してよい。非アクティブ（又は早期の）測定設定は、本実装形態のいくつかにおいて、セルレベル及び／又はビームレベル測定を遂行するための設定を含んでよい。例えば非アクティブ（ＲＲＭ）測定設定は、セルレベル測定、又はビームレベル測定を伴うセルレベル測定にセットしてよく、一つのビーム（例えば最良／最強ビーム）又はいくつかの異なるビームに関する識別及び品質情報を含んでよい。例えば、非アクティブ（ＲＲＭ）測定設定は、セルレベル測定、又はビームレベル測定を伴うセルレベル測定にセットしてよく、一つのビーム（例えば最良／最強ビーム）若しくはいくつかの異なるビームについての識別を含んでよい。
【００４３】
早期測定設定を受信し、記憶した後、ＵＥは、アクション１２０において、早期測定のためのインジケータが受信されたかどうかを判定してよい。本実装形態のいくつかの態様において、本インジケータは、早期測定設定を含む同じＲＲＣ解放メッセージ内にあってもよい。本実装形態の一態様において、早期測定設定を含むＲＲＣ解放メッセージを受信することは、それ自体でＵＥに早期測定を遂行させるための指示であり、別個のインジケータは必要とされない。本実装形態のいくつかの他の態様において、インジケータは、別のブロードキャストシステム情報を介して受信されてよい。
【００４４】
早期測定（を遂行すること）のためのインジケータが（例えばＲＲＣリリースメッセージといった専用信号によって、又はブロードキャストシステム情報によって）受信されることを判定した後、アクション１３０において、ＵＥは、早期測定を遂行してよい。本実装形態のいくつかにおいて、ＵＥは、ＵＥがＲＲＣ非アクティブ状態にある間に、格納された非アクティブ測定設定に基づいて早期測定を遂行してよい。本実装形態のいくつかにおいて、ＵＥは、ＲＲＣ接続再開手順を初期化したとき（例えばＲＡプリアンブルを送った後）、又はＲＲＣ接続再開手順を初期化する前の特定のタイミング（スロット／シンボル）に、早期測定を遂行してよい。本実装のいくつかの態様において、ＵＥは、ＵＥの実装形態に基づいて（例えばターゲットサービスタイプ又は電力条件に基づいて）早期測定を遂行してよい。例えば超高信頼性低遅延性通信（ＵＲＬＬＣ）サービスをサポートすることを目標とする非アクティブＵＥの場合、ＵＥは、非アクティブ測定設定に基づいて早期測定を遂行してよい。別の例として、低電力を有するＵＥは、非アクティブ測定設定に基づいた早期測定を遂行しないことがある。その後、プロセス１００は、終了してよい。
【００４５】
本実装形態のいくつかにおいて、図２を参照して以下でより詳細に説明するように、ＲＲＣ接続再開手順がトリガされると、ＵＥは、早期測定の実行に基づいて準備された利用可能な測定結果を、現在のサービングセル（又は基地局）に提供してよい。その結果、現在のサービングセルは、ＵＥのためのＤＣモード（又はＣＡモード）をより高速にセットアップしてよい。本実装形態のいくつかにおいて、ＵＥは、測定結果が利用可能であることをサービングセルに示すために、サービングセルにインジケータを送ってよい。本実装形態のいくつかにおいて、測定結果の利用可能性に関するインジケータを送ることに加えて、又はその代わりに、ＵＥは、ＵＥが同じ場所（又は同じエリア内）に留まっている、又はＲＲＣ非アクティブ状態に入った後に静止したままであることを示すために、インジケータをサービングセルに送ってよい。いくつかのそういった実装形態において、サービングセルは、ＲＲＣ非アクティブ状態の間、そういったインジケータを受信し、同じエリア内に留まっていることを判定した後に、（新規ＤＣモードをセットアップする代わりに）以前のＤＣ（又はＣＡ）モードを再開してよい。
【００４６】
本実装形態のいくつかにおいて、ＵＥがある期間内にキャンプされたセル（例えばそれらのＩＤｓを用いる）を示してよいモビリティの履歴（例えばＵＥのロケーションの履歴を含むリスト）を更に送ってよい。ＵＥが同じ場所（又は同じエリア内）に留まっているかどうか、又は静止したままであるかどうかを判定することは、ＮＷの命令（複数可）、又はＵＥの実装形態に依存してよい。本実装形態のいくつかの態様において、ＵＥは、（サービングセルにモビリティ履歴リストを送らなくても）ＤＣモード又はＣＡモードが再開され得ることをサービングセルに示すためにインジケータを送ってよい。本実装形態のいくつかにおいて、ＵＥは、ＲＲＣメッセージにおいて、ＤＣモード再開のために、ターゲットプライマリセル（Primary Cell:ＰＣｅｌｌ）及び／又はターゲットプライマリセカンダリセル（Primary Secondary Cell:ＰＳＣｅｌｌ）に関連する情報を送ってよい。同様に、本実装形態のいくつかにおいて、ＵＥは、ＲＲＣメッセージにおいて、ＣＡモード再開のために、ターゲットＰＣｅｌｌ及び関連付けられたセカンダリセル（複数可）に関連する情報を送ってよい。
【００４７】
本実装形態のいくつかにおいて、ＵＥは、利用可能な早期測定結果を、自律的に（例えばＮＷからなにも命令を受信することなく）、又はサービング基地局からの要求（又は指令）に基づいて、提供してよい。本実装形態のいくつかにおいて、ＵＥは、どの利用可能な測定結果をレポートすべきか、及び／又はどの利用可能な測定結果が有効であるかを、自律的に、又はＮＷ（例えばサービング基地局）から受信された指令に基づいて判定してよい。
【００４８】
図２は、本出願の例示的な実装形態による、ＵＥによって早期測定を遂行すること、及び早期測定結果をサービングセルに提供することのための例示的な実装形態を示す図２００である。図２に示すように、ダイアグラム２００は、ＵＥ２１０、現在のサービング基地局２２０、様々な時点において、互いに、及び他のネットワークエンティティとデータ（例えばメッセージ、シグナリングなど）を交換することができる（他のネットワークエンティティの中で）直前のサービング基地局２３０を含んでよい。二つの異なる基地局として示されているが、現在のサービング基地局２２０及び直前のサービング基地局２３０は、同じ基地局であってもよいことに留意されたい。
【００４９】
上述したように、本実装形態のいくつかにおいて、サービング基地局が非アクティブ状態に入るためにＵＥに指令するために、ＵＥへのサスペンド設定を含んでよいＲＲＣ解放メッセージを送ってよい。非アクティブ（又はＲＲＣ非アクティブ）状態は、ＵＥがＣＭ−ＣＯＮＮＥＣＴＥＤ状態のままであってよく、ＮＧ−ＲＡＮに通知することを要求されることなく、次世代ＲＡＮ（ＮＧ−ＲＡＮ）によって設定された領域（例えばＲＡＮ通知領域又はＲＮＡ）内を移動することができる状態であってよい。
【００５０】
ＲＲＣ非アクティブ状態において、直前のサービング基地局（例えばｇＮＢノード又はｅＮＢノード）は、ＵＥコンテキスト及びＵＥ関連のＮＧ接続を、サービングアクセス及びモビリティ管理機能（Access and Mobility Management Function:ＡＭＦ）及びユーザプレーン機能（User Plane Function:ＵＰＦ）として保持してよい。ＲＲＣ解放メッセージのサスペンド設定は、完全な非アクティブ−無線ネットワーク一時識別子（Inactive−Radio Network Temporary Identity:Ｉ−ＲＮＴＩ）又は短いＩ−ＲＮＴＩ（ＲＲＣ接続再開手順の再開ＩＤとして使用されてもよい）の値、ＲＮＡ情報、及び／又は他の関連情報が含まれてよい。高速セットアップ（すなわち高速ＤＣ及び／又はＣＡモードセットアップ）のために、直前のサービング基地局は、ＵＥがＲＲＣ非アクティブ状態で遂行するために、又はＲＲＣ接続再開手順を初期化した（例えばＲＡプリアンブルを送った）ときに、又はＲＲＣ接続再開手順を初期化する前の特定のタイミング（スロット／シンボル）に、又はＵＥの実装形態に基づいて（例えばターゲットサービスタイプ又は電力条件に基づいて）、非アクティブ測定設定を配信してもよい。
【００５１】
非アクティブ測定設定は、本実装形態のいくつかにおいて、セルレベル及び／又はビームレベル測定のための設定であってよい。例えば非アクティブ測定設定は、セルレベル測定、又は、ビームレベル測定を伴うセルレベル測定にセットされてよい。一旦、ＲＲＣ接続再開手順がトリガされると、ＵＥは、受信された非アクティブ測定設定に基づいて利用可能な測定結果を提供してよく、その結果、現在のサービング基地局は、ＵＥのためのＤＣモード（又はＣＡモード）をより高速にセットしてよい。
【００５２】
図２のアクション２４０において、直前のサービング基地局２３０は、ＲＲＣ解放メッセージを送ってよく、これは、ＲＲＣ非アクティブ状態に入るためにＵＥに命令するためのＵＥ２１０のためのサスペンド設定を含んでよい。本実装形態のいくつかの態様において、ＲＲＣ解放メッセージは、セルレベル及び／又はビームレベルの早期測定結果を準備するためにＵＥによって使用される非アクティブ測定設定を含んでよい。非アクティブ測定設定は、本実装形態のいくつかにおいて、適用されるべき測定オブジェクト及びそれに関連する測定イベント（複数可）をＵＥ２１０に指示してよい。例えば直前のサービング基地局２３０は、（３ＧＰＰ技術仕様（例えばＴＳ３８．３３１）として定義されているように、測定イベントＡ１を使用することによって）セル（例えばセル＃１）の品質が依然として所与の閾値を上回る早期測定を遂行するためにＵＥ２１０に依頼してよい。セル＃１は、ＲＮＡ中に設定されたセルの一つであってもよく、ＰＣｅｌｌ（又はＣＡの場合にはＳＣｅｌｌ）であってもよい。逆に、セル＃１は、ＤＣの場合にＰＳＣｅｌｌとして追加され得るセルのうちの一つであってよい。
【００５３】
３ＧＰＰ  ＴＳ  ３８．３３１で定義されたＡ２、Ａ３、Ａ４、Ａ５、及びＡ６といった、３ＧＰＰで定義された他の測定イベントは、本実装形態のいくつかにおいて、非アクティブ測定設定のために使用されてよい。他の新しい測定事象は、この説明から除外されないことに留意されたい。非アクティブ測定設定は、通常の測定設定（接続モードで使用される）に使用されるものと比較して、異なるレイヤ３フィルタリング期間（例えばより短い）を使用するために設定されてよい。本実装形態のいくつかにおいて、非アクティブ測定設定は、特定の測定オブジェクト及び／又は特定の測定イベントの基準を示してよい。例えばＵＥのモビリティ状態が高い場合、ＵＥは、早期測定を実行する必要がない場合がある。別の例として、ＵＥは、そのセル品質が所与の閾値よりも高いターゲットセルをＵＥが検出した場合に、あるセルに対して早期測定を実行することのみを必要としてよい。
【００５４】
図２に戻ると、アクション２４２において、非アクティブ測定設定（及びサスペンド設定）を含むＲＲＣ解放メッセージを受信した後（アクション２４０において）、ＵＥ２１０は、ＲＲＣ非アクティブ状態に入ってよい。アクション２４４において、ＵＥ２１０は、ＲＲＣ解放メッセージにおいて受信された非アクティブ測定設定に基づいて早期測定を遂行してよい。上述したように、本実装形態のいくつかの態様において、ＵＥ２１０は、ＲＲＣ解放メッセージの代わりに、又はＲＲＣ解放メッセージに加えて、ブロードキャストシステム情報を介して非アクティブ測定設定を受信してよいことに留意されたい。
【００５５】
ＵＥは、異なる実装形態において、異なる基準に基づいて（受信された測定設定に基づいて）非アクティブ（早期の）測定の遂行を開始してよい。図１を参照して上述したように、ＵＥは、基地局からインジケータを受信すると、早期測定の遂行を開始してよい。本実装形態のいくつかにおいて、ＵＥは、基地局からインジケータを受信することを必要とせずに、早期測定自体を遂行すべきかどうかを判定してよい。例えば、ＵＥは、電力状態、モビリティ状態などといったＵＥの現在の状態に基づいて早期測定を遂行するか否かを判定してよい。本実装形態のいくつかにおいて、ＵＥがいつ早期測定の実行を開始すべきか、例えばいつＵＥがＰＣｅｌｌと見なされ得るセルを検出又は再選択するかを判定してよい。本実装形態のいくつかの態様において、ＲＲＣ接続再開がトリガされるとき、ＵＥは、非アクティブ（早期の）測定の遂行を開始してよい。
【００５６】
アクション２４６において、ＵＥ２１０は、（例えばＵＬ又はＤＬデータ送信が要求されるとき）ＲＲＣ接続再開手順をトリガしてよい。ＵＥ２１０は、アクション２４８において、サービング基地局２２０との接続を開始するために、選択されたＲＡリソース上のランダムアクセス（ＲＡ）プリアンブルを現在のサービング基地局２２０に送信してよい。アクション２５０において、ＵＥ２１０は、現在のサービング基地局２２０からＲＡプリアンブルに対応するＲＡ応答（ＲＡＲ）を受信してよい。アクション２５２において、ＵＥ２１０は、再開ＩＤ（記憶された完全なるＩ−ＮＲＴＩから導出される、又はＮＷ設定に基づいて記憶された短いＩ−ＲＮＴＩから導出される）を搬送するＲＲＣ再開要求メッセージを基地局２２０に送ってよい。
【００５７】
本実装形態の一態様において、アクション２５２において送られたＲＲＣ再開要求メッセージは、早期測定結果の利用可能性のためのインジケータを搬送してよい。いくつかのそのような実装形態において、早期測定結果の利用可能性のためのインジケータが存在するか、又は「真」（又は「１」）にセットされている場合、ＵＥは、非アクティブ測定設定を受信し、非アクティブ測定設定に基づいて早期測定結果を準備したことを意味する。図２に示されたものといった、本実装形態のいくつかの他の態様において、アクション２５２において、送られたＲＲＣ再開要求メッセージは、測定結果の利用可能性に関するインジケータを全く搬送しない。すなわち、ＵＥが非アクティブ測定設定で設定され、（現在利用可能である）測定結果を準備している場合であっても、本実装形態のいくつかにおいて、早期測定結果の利用可能性のためのインジケータをＲＲＣ再開要求メッセージに含める必要はない。本実装形態のいくつかにおいて、現在のサービング基地局２２０は、ＵＥ２１０がＵＥ２１０に送られた非アクティブ測定設定に基づいて準備された特定の利用可能な測定結果を有すると常に仮定してよい。本実装形態の一態様において、図４を参照して以下で説明するように、早期測定結果の利用可能性に関するインジケータは、特定のＲＲＣメッセージによって（例えばＲＲＣ再開完了メッセージによって）搬送されてよい。
【００５８】
ＵＥ２１０が直前のサービング基地局（例えば直前のサービング基地局２３０）以外のサービング基地局（例えば現在のサービング基地局２２０）にアクセスする場合、現在のサービング基地局２２０は、ＸｎＡＰ回収ＵＥコンテキスト手順をトリガして、直前のサービング基地局２３０からＵＥ２１０のコンテキストを回収してよく、また、直前のサービング基地局２３０からのデータの潜在的な回復のためのトンネル情報を含んでいるデータ転送手順をトリガしてもよい。したがって、アクション２５４において、現在のサービング基地局２２０は、（例えば現在のサービング基地局２２０が再開ＩＤに含まれる基地局アイデンティティを解決することができる場合に）ＵＥコンテキストを提供するための要求を直前のサービング基地局２３０に送ってよい。アクション２５６において、直前のサービング基地局２３０は、（例えば直前のサービング基地局が有効なＵＥコンテキストを有する場合に）ＵＥコンテキストを用いて現在のサービング基地局を提供してよい。
【００５９】
アクション２５２において、ＵＥ２１０からＲＲＣ再開要求メッセージを受信した後、現在のサービング基地局２２０は、ＲＲＣ非アクティブ状態からＲＲＣ接続状態に遷移するためにＵＥ２１０に命令してよい。ＵＥをＲＲＣ非アクティブ状態から接続状態に移動するために、現在のサービング基地局２２０は、アクション２５８において、ＲＲＣ再開メッセージをＵＥ２１０に送ってよい。本実装形態のいくつかにおいて、ＵＥ２１０に送るＲＲＣ再開メッセージが事前測定（又は早期測定）結果のためのインジケータ（例えばレポート指示）を搬送してよい。
【００６０】
アクション２６０において、現在のサービング基地局２２０からＲＲＣ再開メッセージを受信した後、ＵＥ２１０は、ＲＲＣ再開メッセージを介して受信した設定を適用し、ＲＲＣ再開完了メッセージを現在のサービング基地局２２０に送り返してよい。受信したＲＲＣ再開メッセージ内に事前測定した結果のレポート指示が存在する、又は「真」にセットされている場合、ＵＥ２１０は、本実装形態のいくつかにおいて、ＲＲＣ再開完了メッセージ内に（非アクティブ測定設定に基づいた）利用可能な測定結果を含んでもよい。他のいくつかの実装形態において、ＵＥ２１０は、ＲＲＣ再開完了メッセージ以外の異なるＲＲＣメッセージ内に利用可能な（及び／又は有効である）測定結果を含んでよい。利用可能な測定結果は、本実装形態のいくつかにおいて、セルレベル測定結果及び／又はビームレベル測定結果を含んでよい。例えばＵＥ２１０は、特定のセルに関連付けられたセルレベル測定結果を、特定のセルに関連する最良のビームデータ（例えば最強の品質を有するビームに関する識別及び品質データ）と共に、現在のサービング基地局２２０にレポートしてよい。測定結果、例えばレポートすべきビームの数、レポートすべき測定量などを、どのようにレポートするかは、受信された非アクティブ測定設定に基づくこと、事前定義されたルールに基づくこと、（例えばシステム情報ブロックを介して送信された）ブロードキャストシステム情報に基づくこと、及び／又はＵＥの実装形態に基づいてよい。
【００６１】
ＲＲＣ再開完了メッセージにおいて利用可能な測定結果を受信した後、アクション２６２において、現在のサービング基地局２２０は、それに応じて、ＵＥのためのＤＣモード又はＣＡモードをセットするかどうかを判定してよい。本実装形態のいくつかにおいて、現在のサービング基地局２２０は、ＡＭＦへの経路切り替え手順を実行してもよく、直前のサービング基地局２３０におけるＵＥリソースの解放をトリガしてもよい。アクション２６４において、現在のサービング基地局２２０は、ＵＥ２１０がＤＣ（又はＡＣ）でセットアップされるべきであると判定した場合、現在のサービング基地局２２０は、ＵＥ２１０のためのＤＣモード又はＣＡモードをセットするためにＲＲＣ再構成を送ってよい。本実装形態のいくつかにおいて、直前のサービング基地局２３０は、（アクション２４０において）ＲＲＣ解放メッセージに非アクティブ測定設定を含まなくてもよい。いくつかのそのような実装形態において、事前測定された結果の利用可能性のためのインジケータをセットするかどうかはＵＥ２１０の実装形態次第である。例えば、ＵＥ２１０は、ＲＲＣ非アクティブ状態において、早期測定を遂行することに基づいて準備された、いくつかの測定結果を有してもよく、この測定結果を参照のためにサービング基地局２２０に提供してもよい。
【００６２】
上述したように、本実装形態のいくつかにおいて、（例えば図２のアクション２５２において）ＲＲＣ再開要求メッセージ内に、事前測定した結果の利用可能性のためのインジケータをＲＲＣ再開要求メッセージに含める（又はＲＲＣ再開要求メッセージによって搬送する）ことができない。更に、本実装形態のいくつかにおいて、（例えば図２のアクション２５８において）ＲＲＣ再開メッセージ内に、事前測定した結果の利用可能性のためのレポートインジケータを含める（又はＲＲＣ再開メッセージによって搬送する）ことができない。ＵＥ２１０は、本実装形態のいくつかの態様において、（例えば図２のアクション２６０において）ＲＲＣ再開完了メッセージ中の非アクティブ測定設定に基づいた利用可能な測定結果を単に搬送してよい。本実装形態のいくつかにおいて、ＵＥ２１０は、ＵＥの受信された上りリンク許可が利用可能な測定結果の全てを収容するのに十分でない場合、（例えばその実装形態に基づいて）自動的に測定結果を含んでよい。本実装形態のいくつかの他の態様において、ＵＥ２１０は、受信された上りリンク許可が利用可能な測定結果の全てを収容するのに十分でない場合、定義されたルールのセットに基づいた測定結果を含んでよい。例えば定義されたルールのセットは、含まれるべきより高い優先順位を有する最新の測定結果を特定するルールを含んでよい。別の例として、定義されたルールは、ターゲットセルに関連する測定結果（接続を要求するために再開要求メッセージを送信するため）を特定するルールを含んでよく、含まれるべきより高い優先順位を有してよい。
【００６３】
本実装形態のいくつかの態様において、いくつかの利用可能な測定結果が最初に受信された上りリンク許可において送信されない場合、ＵＥは、別のＲＲＣシグナリングにおいて、自律的に、又はＮＷ要求に基づいて、利用可能な測定結果を送ってよい。本実装形態のいくつかにおいて、ＵＥがＸバイト未満（Ｘは、設定可能であるか、又は固定値である可能性がある１以上の実数である）である上りリンク許可を受信した場合、ＵＥは、測定結果がＲＲＣ再開完了メッセージに含まれることを要求されないと見なすことがある。本実装形態のいくつかにおいて、ＵＥがＹバイト以下（Ｙは、設定可能な、又は固定値である可能性がある１以上の実数である）である上りリンク許可を受信した場合、ＵＥは、測定結果がＲＲＣ再開完了メッセージに含まれることを要求されないと見なす場合がある。
【００６４】
図３は、本出願の例示的な実装形態による、ＵＥがＲＲＣ非アクティブ状態にある間に早期測定結果を準備し、要求に応じて結果をサービング基地局に送信するためにＵＥによって遂行される方法（又はプロセス）３００を示すフローチャートである。本実装形態のいくつかにおいて、プロセス３００は、サービスを提供する基地局からＲＲＣ解放メッセージを受信することによって、アクション３１０で開始してもよい。基地局は、非アクティブ状態に入るためにＵＥに指示するためにＲＲＣ解放メッセージを送ってもよい。上述したように、ＲＲＣ解放メッセージは、ＵＥがＲＲＣ非アクティブ状態にある間に、ＵＥが早期測定を遂行してよい早期測定設定（又は非アクティブ測定設定）を更に含んでよい。
【００６５】
アクション３２０において、ＵＥは、ＵＥがＲＲＣ非アクティブ状態にある間、早期測定の遂行を開始してよい。すなわち、ＲＲＣ解放メッセージを受信した後、ＵＥは、非アクティブ状態に遷移してよく、非アクティブ状態の間に、（例えば一定の時間間隔において、基地局からインジケータを受信すると、ＵＥの設定に基づいて、など）一つ以上の測定手順を実行してよい。本実装形態のいくつかにおいて、非アクティブＵＥは、（例えばＲＲＣ解放メッセージを介して、ブロードキャストシステム情報によって、など）ネットワークから以前に受信され、ＵＥ（例えばＵＥのローカルストレージ）に格納された設定に基づいて一つ以上の測定手順を遂行してよい。
【００６６】
アクション３３０において、ＵＥは、早期測定結果のための要求を（例えばサービング基地局から）受信してよい。本実装形態のいくつかの態様において、要求は、ＲＲＣ再開メッセージによって受信されてよい。すなわち、ＵＥが接続状態（例えばＲＲＣ非アクティブ状態から）に遷移し戻ることを判定した後、ＵＥは、ＲＲＣ再開要求メッセージを基地局に送ってよい。その後、基地局は（例えば早期測定結果のための要求を搬送するＲＲＣ再開メッセージを送ることによって）基地局がＵＥのＲＲＣ再開要求メッセージに応答するとき、早期測定結果のための要求を送ってよい。本実装形態のいくつかの他の態様において、早期測定結果のための要求は、ＲＲＣ再開メッセージ以外のＲＲＣメッセージによって受信されてよい。例えば本実装形態の一態様において、基地局は、ＵＥがＲＲＣ接続状態に入る後（すなわちＵＥがＲＲＣ再開完了メッセージを基地局に送った後）、別の専用信号（例えばＲＲＣメッセージ）内で早期測定結果のための要求を送信してよい。更にいくつかの他の実装形態において、ＵＥは、ブロードキャストシステム情報によって、早期測定結果のための要求を受信してよい。
【００６７】
アクション３４０において、ＵＥは、基地局から早期測定結果のための要求を受信する後、測定結果を（サービング基地局に）送信してよい。本実装形態のいくつかの他の態様において、ＵＥがＲＲＣ再開メッセージを受信する後、利用可能な測定結果をＲＲＣ再開完了メッセージ内で送信してよい。本実装形態のいくつかの他の態様において、利用可能な測定結果は、ＲＲＣ再開完了メッセージ以外の（専用信号）メッセージによって送られてよい。上述したように、利用可能な測定結果は、非アクティブ測定設定及び／又はレポート設定に基づいて（例えばＲＲＣ再構成再開メッセージにおいて）準備されてよい。
【００６８】
利用可能な測定結果は、本実装形態のいくつかにおいて、セルレベル測定及び／又はビームレベル測定値を含んでよい。例えばＵＥは、特定のセルの最良のビーム（例えば最強の品質を有するビーム）と共に、特定のセルのセルレベル測定結果をレポートしてよい。本実装形態のいくつかにおいて、ＵＥに送られるレポート設定は、いくつかの特定のセルの測定結果のみをレポートするためにＵＥに指示してよい。例えば、ＵＥの現在のサービング基地局は、サービング基地局によって制御されるセルの測定結果についてのみ知る必要があってよい。本実装形態のいくつかの態様において、レポート設定は、ＤＣモードにおける候補ＰＳＣｅｌｌであり得るいくつかの特定のセルの測定結果をレポートするためにＵＥに指示してよい。本実装形態のいくつかにおいて、測定結果のコンテンツ（例えばビームの数、測定量など）は、受信された非アクティブ測定設定に基づいても、レポート設定に基づいても、事前定義されたルールのセットに基づいても、（例えばシステム情報ブロックを介して送信された）ブロードキャスト情報に基づいても、又はＵＥの実装形態に基づいてもよい。測定結果を基地局にレポートした後、プロセス３００は、終了してよい。
【００６９】
図４は、本出願の例示的な実装形態による、早期測定結果を準備し、送信するための例示的な実装形態を示すダイアグラム４００である。図４に示すように、ダイアグラム４００は、ＵＥ４１０、現在のサービング基地局４２０、様々な時点において、互いに通信し、他のネットワークエンティティと通信する（他のネットワークエンティティの中で）直前のサービング基地局４３０を含んでよい。二つの異なる基地局として示されているが、現在のサービング基地局４２０及び直前のサービング基地局４３０は、同じ基地局であってもよいことに留意されたい。図４に示すアクション４４０〜４５０、４５４、及び４５６はそれぞれ、上述したように、図２のアクション２４０〜２５０、２５４、及び２５６と同様である。
【００７０】
しかしながら、図４に示すように、事前測定（又は早期測定）結果の利用可能性に関するインジケータは、ＲＲＣ再開完了メッセージ内で搬送される。本実装形態のいくつかにおいて、現在のサービング基地局が利用可能である事前測定結果のインジケータを受信するとき、現在のサービング基地局は、事前測定結果要求メッセージをＵＥに送ってよい。事前測定結果要求メッセージを受信すると、本実装形態のいくつかにおいて、ＵＥは、事前測定結果レポートメッセージをサービング基地局に送り返してよい。事前測定結果は、ＵＥが直前のサービング基地局から受信した、又はブロードキャストシステム情報において受信した非アクティブ測定設定に基づいて準備された利用可能な測定結果を含んでよい。
【００７１】
本実装形態のいくつかにおいて、ＵＥ４１０は、アクション４５２において、再開ＩＤ（例えば記憶されたＩ−ＲＮＴＩから導出された）を搬送してよいＲＲＣ再開要求メッセージを送ってよい。図に示されるように、ＲＲＣ再開要求メッセージは、早期測定結果の利用可能性についての任意のインジケータもまだ搬送しない。アクション４５８において、現在のサービング基地局４２０は、ＲＲＣ接続再開手順において、ＵＥ４１０をＲＲＣ非アクティブ状態からＲＲＣ接続状態に移動してよい。ＵＥ４１０を非アクティブ状態から接続状態に移動するために、現在のサービング基地局４２０は、（アクション４５８において）ＲＲＣ再開メッセージをＵＥ４１０に送ってよい。
【００７２】
アクション４６０において、ＲＲＣ再開メッセージを受信すると、ＵＥ４１０は、メッセージ内の設定を適用し、ＲＲＣ再開完了メッセージを現在のサービング基地局４２０に送り返してよい。ＲＲＣ再開完了メッセージは、本実装形態のいくつかにおいて、事前測定結果の利用可能性のインジケータを搬送してよい。予め測定された結果の利用可能性のインジケータが存在する（又は「真」にセットされる）場合、ＵＥ４１０は、非アクティブ測定設定を受信し、非アクティブ測定設定に基づいて利用可能な測定結果を準備したことを意味する。本実装形態のいくつかにおいて、ＵＥが非アクティブ測定設定で設定されている場合であっても、及びＵＥが利用可能な測定結果を準備した場合であっても、事前測定結果の利用可能性に関するインジケータをＲＲＣ再開完了メッセージ内に含めることは必須ではない。現在のサービング基地局４２０は、ＵＥ４１０が非アクティブ測定設定に基づいて利用可能な測定結果を有すると常にみなしてもよい。
【００７３】
アクション４６２において、現在のサービング基地局４２０は、事前測定結果要求メッセージをＵＥ４１０に送ってよい。本実装形態のいくつかにおいて、事前測定結果要求メッセージは、ＵＥが非アクティブ測定設定に基づいて全ての利用可能な測定結果をレポートしなければならないこと、又は利用可能な測定結果を可能な限りレポートしなければならないことを示すための１ビットメッセージであってよい。本実装形態のいくつかにおいて、ＵＥ４１０は、受信された上りリンク許可が利用可能な測定結果の全てを収容するのに十分であるかどうかに関する決定に基づいた測定結果を含んでよい。本実装形態のいくつかにおいて、ＵＥ４１０は、受信された上りリンク許可が利用可能な測定結果の全てを収容するのに十分でない場合、（事前）定義されたルールのセットに基づいた測定結果を含んでよい。例えば（事前）定義されたルールは、最新の測定結果が含まれるべきより高い優先順位を有することを指定するルールを含んでよい。別の例として、ルールのセットは、（接続を要求するために再開要求メッセージを送信するための）ターゲットセルに関連する測定結果がより高い優先度を含んでよい、というルールを含んでよい。本実装形態のいくつかにおいて、いくつかの利用可能な測定結果が最初に受信された上りリンク許可において送信されない場合、ＵＥ４１０は、別のＲＲＣ信号において（例えば自動的に、又はＮＷ要求に基づいて）利用可能な測定結果を送ってよい。
【００７４】
事前測定結果要求メッセージを受信すると、アクション４６４において、ＵＥは、非アクティブ測定設定に基づいた利用可能な測定結果を含んでよい事前測定結果レポートメッセージを送ってよい。上述したように、本実装形態のいくつかにおいて、利用可能な測定結果は、セルレベル測定及び／又はビームレベル測定を含んでよい。例えばＵＥは、セルの最良のビーム（例えば最も強い品質を有するビーム）と共に、セルのセルレベル測定結果をレポートしてよい。測定結果のコンテンツ（例えばビームの数、測定量など）は、受信された非アクティブ測定設定、事前定義されたルール、ブロードキャスト情報（例えばシステム情報ブロックを介して送信される）、又はＵＥの実装形態に基づいてよい。
【００７５】
アクション４６６において、事前測定結果レポートメッセージ内の非アクティブ測定設定に基づいた利用可能な測定結果を受信した後、現在のサービング基地局４２０は、受信された結果に基づいて、ＵＥ４１０のためにＤＣモード又はＣＡモードをセットするかを決定してよい。現在のサービング基地局４２０は、（例えばＡＭＦへの）経路切り替え手順を遂行してよく、直前のサービング基地局４３０におけるＵＥリソースの解放をトリガしてよいことに留意されたい。
【００７６】
アクション４６８において、現在のサービング基地局４２０は、ＵＥ４１０のためのＤＣモード又はＣＡモードをセットするために、ＲＲＣ再構成メッセージをＵＥ４１０に送ってよい。本実装形態のいくつかにおいて、ＵＥは、非アクティブ測定設定に基づいた任意の利用可能な測定結果（複数可）が存在する場合、別のＲＲＣメッセージ（例えばＲＲＣ再開完了メッセージ以外）における事前測定結果の利用可能性に関するインジケータを含んでよい。
【００７７】
いくつかの実装形態において、事前測定された結果の利用可能性のインジケータをセットするかどうかは、ＵＥ４１０の実装形態に依存してよい。例えば本実装形態の一態様において、ＵＥ４１０は、ＲＲＣ非アクティブ状態にある間に準備されるいくつかの測定結果を有してよく、それらの結果を、事前に利用可能性のあるインジケータを送ることなく、現在のサービング基地局４２０に提供してよい。すなわち、本実装形態のいくつかにおいて、ＵＥによって送られるＲＲＣ再開完了メッセージに、事前に測定された結果の利用可能性のあるインジケータがなく、基地局からの事前測定結果要求メッセージもなくてもよい。本実装形態のいくつかの態様において、ＵＥは、非アクティブ測定設定に基づいた利用可能性のある測定結果がある場合、事前測定結果レポートメッセージを基地局に送ってよい。
【００７８】
本実装形態のいくつかにおいて、ＵＥは、（例えば受信された上りリンク許可が全ての利用可能性のある測定結果を収容するのに十分ではない場合）ＵＥの決定に基づいた測定結果を含んでよい。本実装形態のいくつかにおいて、ＵＥは、（例えば受信された上りリンク許可が利用可能性のある測定結果の全てに十分ではない場合）定義されたルールに基づいた測定結果を含んでよい。例えば定義されたルールは、最新の測定結果がより高い優先順位を含んでよいこと、又は定義されたルールが（接続を要求するための再開要求を送信するための）ターゲットセルに関連する測定結果がより高い優先順位を含んでよいことである。本実装形態のいくつかにおいて、いくつかの利用可能な測定結果が最初に受信された上りリンク許可において送信されない場合、ＵＥは、別の専用シグナリングにおいて、利用可能な測定結果を自動的に（又はＮＷ要求に基づいて）送ってよい。
【００７９】
本実装形態のいくつかにおいて、ＵＥがＸバイト未満（Ｘは１以上の数）である上りリンク許可を受信する場合、ＵＥは、（事前測定結果レポートメッセージに含めるために）測定結果が要求されていないとみなしてよい。数Ｘは、（例えばＮＷによって）設定可能であるか、又は固定値であってよい。本実装形態のいくつかにおいて、ＵＥがＹバイト以下（Ｙは０以上の数）である上りリンク許可を受信する場合、ＵＥは、測定結果レポートメッセージに測定結果を含める必要がないとみなしてよい。Ｙは、設定可能な数、又は固定値である。
【００８０】
図５は、本出願の例示的な実装形態による、早期測定結果を準備し、送信するための例示的な実装形態を示すダイアグラム５００である。図５に示すように、ダイアグラム５００は、ＵＥ５１０、現在のサービング基地局５２０、及び、様々な時点において、互いに通信し、他のネットワークエンティティと通信する（他のネットワークエンティティの中で）直前のサービング基地局５３０を含んでよい。二つの異なる基地局として示されているが、現在のサービング基地局５２０及び直前のサービング基地局５３０は、同じ基地局であってもよいことに留意されたい。図５に示すアクション５４０〜５５０、５５４、５５６、５６２、及び５６４はそれぞれ、上述したように、図２のアクション２４０〜２５０、２５４、２５６、２６２、及び２６４と同様である。
【００８１】
図５に示すように、図２との差は、アクション５５２、５５８、及び５６０である。すなわち、図２に示されるアクション２５２とは異なり、アクション５５２において、ＵＥ５１０によって基地局５２０に送られるＲＲＣ再開要求メッセージは、事前測定結果が基地局５２０への送信に利用可能であることを基地局５２０に指示すためのインジケータを搬送してよい。加えて、現在のサービング基地局５２０は、アクション５５８において、本実装形態のいくつかにおける事前測定結果のためのレポート設定を搬送してよいＲＲＣ再開メッセージを送ってよい。事前測定された結果のためのそういったレポート設定によって、現在のサービング基地局５２０は、どの事前測定された結果がレポートするために必要とされるかをＵＥ５１０に指示してよい。したがって、（非アクティブ測定設定に基づいて準備された）利用可能な測定結果の全ては、基地局５２０にレポートされる必要はない。事前測定結果のレポート設定を含むＲＲＣ再開メッセージを受信すると、ＵＥ５１０は、特に要求された利用可能な測定結果をＲＲＣ再開完了メッセージに含んでよく、アクション５６０において、ＲＲＣ再開完了メッセージを、基地局５２０に送信してよい。
【００８２】
より具体的に、アクション５５２においてＵＥ５１０からＲＲＣ再開要求メッセージを受信した後、現在のサービング基地局５２０は、アクション５５８においてＵＥ５１０をＲＲＣ非アクティブ状態からＲＲＣ接続状態に移動してよい。ＵＥ５１０をＲＲＣ非アクティブ状態から接続状態に移動するため、現在のサービング基地局５２０は、ＲＲＣ再開メッセージをＵＥ５１０に送ってよく、ＲＲＣ再開メッセージは、事前測定された結果のためのレポート設定を搬送してよい。アクション５６０において、ＲＲＣ再開メッセージを受信した後、ＵＥ５１０は、メッセージ内の設定を一つ以上の測定手順に適用し、ＲＲＣ再開完了メッセージを現在のサービング基地局５２０に送り返してよい。事前測定された結果のためのレポート設定が受信されたＲＲＣ再開メッセージ内に存在する場合、ＵＥ５１０は、非アクティブ測定設定に基づいた（基地局５２０によって要求された）利用可能な測定結果、及び／又はＲＲＣ再構成再開メッセージ内のレポート設定を含んでよい。
【００８３】
上述したように、利用可能な測定結果は、セルレベル測定及び／又はビームレベル測定を含んでよい。例えばＵＥは、特定セルの一つ以上のビーム（例えば最も強い品質を有するビーム（複数可））についての結果を使って、又は使わずに、特定セルについてのセルレベル測定結果をレポートしてよい。本実装形態のいくつかにおいて、レポート設定は、いくつかの特定のセルのための測定結果のみをレポートするためにＵＥに指示してよい。例えば、現在のサービング基地局は、サービング基地局によって制御されるセルのための測定結果のみを必要としてよい。本実装形態のいくつかにおいて、レポート設定は、ＤＣモードのための候補ＰＳＣｅｌｌｓであるいくつかの特定のセルの測定結果をレポートするためにＵＥに指示してよい。
【００８４】
本実装形態のいくつかにおいて、ＵＥは、受信された上りリンク許可が利用可能な測定結果の全てを収容するのに十分ではないかどうかに基づいた測定結果を含んでよい。本実装形態のいくつかにおいて、ＵＥは、受信された上りリンク許可が全ての利用可能な測定結果を収容するのに十分でない場合、定義されたルールに基づいた測定結果を含んでよい。例えば定義されたルールは、最新の測定結果であってよく、最新の測定結果は、含まれるべきより高い優先順位を有してよく、又は（接続を要求するための再開要求を送信するための）ターゲットセルに関連する測定結果は、含まれるべきより高い優先度を有してもよい、というものであってもよい。本実装形態のいくつかにおいて、いくつかの利用可能な測定結果が最初に受信された上りリンク許可において送信されない場合、ＵＥは、（自動的に又はＮＷ要求に基づいて）別のＲＲＣシグナリングにおいて、利用可能な測定結果を送ってよい。
【００８５】
上述したように、本実装形態のいくつかにおいて、図５のアクション５５２とは異なり、ＲＲＣ再開要求メッセージにおいて事前測定結果の利用可能性のためのインジケータを含まなくてよい。本実装形態のいくつかにおいて、（図５のアクション５５８に示すよう）事前測定結果のレポート設定もなくてよい。本実装形態のいくつかの態様において、ＵＥは、（例えばＲＣ再開要求メッセージを介して）基地局に任意のインジケータを送ることなく、又は（例えばＲＲＣ再開メッセージを介して）基地局から任意のレポート設定を受信することなく、ＲＲＣ再開完了メッセージ内で、非アクティブ測定設定に基づいた利用可能な測定結果を搬送してよい。本実装形態のいくつかにおいて、ＵＥは、受信された上りリンク許可が利用可能な測定結果の全てを収容するのに十分ではないかどうかに基づいた測定結果を含んでよい。
【００８６】
本実装形態のいくつかの態様において、非アクティブ測定設定は、特定のエリア（例えばセル、ＲＮＡなど）内の全てのメンバ（例えばＵＥｓ）に共通に適用されてよい。本実装形態のいくつかにおいて、非アクティブ測定設定は、特定のシステム情報ブロック（ＳＩＢ）を介してシグナリングされてよい。本実装形態のいくつかにおいて、ＵＥがサスペンド手順中に非アクティブ測定設定を受信しない場合、ＵＥは、非アクティブ測定設定を獲得し、その有効性を識別するためにＳＩＢを受信しようと試みてよい。その後、ＵＥは、同じエリア内を移動しながら非アクティブ測定を遂行することができる。本実装形態のいくつかの態様において、値タグ及びエリアＩＤ（ｗ．ｒ．ｔ．、一つのＳＩ）は、非アクティブ測定設定の有効性チェックを容易にするために使用されてもよい。例えばＲＮＡ中のセルメンバは、関連する測定システム情報シグナリングのために同じエリアＩＤを使用してよい。
【００８７】
いくつかの本実装形態の実装形態において、現在のサービング基地局は、ＲＲＣ再開メッセージ内で、事前測定結果メッセージを送ってよく、事前測定結果のためのレポート設定を含んでいる事前測定結果要求メッセージをＵＥに送ってよい。ＲＲＣ再開メッセージを受信すると、ＵＥは、メッセージ内の設定を適用し、ＲＲＣ再開完了メッセージを現在の基地局に送り返すことができる。事前測定された結果のためのレポート設定が受信されたＲＲＣ再開メッセージ内に存在する場合、ＵＥは、非アクティブ測定設定及び／又はレポート設定に基づいた利用可能な測定結果を、ＲＲＣ再開完了メッセージに含んでよい。本実装形態のいくつかにおいて、レポート設定は、いくつかの特定のセルの測定結果のみをレポートするためにＵＥに指示してよい。例えば現在のサービング基地局は、サービング基地局のみによって制御されるセルの測定結果のみを必要としてよい。本実装形態のいくつかにおいて、レポート設定は、ＤＣモードのための候補ＰＳＣｅｌｌｓであるいくつかの特定のセルの測定結果をレポートするためにＵＥに指示してよい。本実装形態のうちのいくつかにおいて、ＵＥは、（例えば非アクティブ測定設定に基づいた利用可能な測定結果（複数可）があるとき）別のＲＲＣメッセージにおいて、利用可能な事前測定結果のためのインジケータを含んでよい。
【００８８】
本実装形態のいくつかにおいて、ＲＲＣ再開完了メッセージ内の事前測定結果の利用可能性のインジケータは、なくてもよく、事前測定結果要求メッセージは、なくてもよい。ＵＥは、非アクティブ測定設定に基づいて準備された任意の利用可能な測定結果がある場合、事前測定結果レポートメッセージを単に送ってよい。本実装形態のいくつかにおいて、ＵＥは、受信された上りリンク許可が利用可能な測定結果の全てを収容するのに十分ではないかどうかに基づいた測定結果を含んでよい。本実装形態のいくつかにおいて、ＵＥは、受信された上りリンク許可が全ての利用可能な測定結果に十分でない場合、定義されたルールに基づいた測定結果を含んでよい。例えば定義されたルールは、最新の測定結果であってよく、最新の測定結果は、より高い優先順位を有してよく、又は（接続を要求するための再開要求を送信するための）ターゲットセルに関連する測定結果は、より高い優先順位を有してもよい、としてよい。
【００８９】
本実装形態のいくつかにおいて、いくつかの利用可能な測定結果が最初に受信された上りリンク許可で送信されない場合、ＵＥは、別のＲＲＣシグナリング内で利用可能な測定結果を送ってよい。本実装形態のいくつかにおいて、ＵＥがＸバイト未満である上りリンク許可を受信する場合、ＵＥは、測定結果が事前測定結果レポートメッセージ（ここでＸは、設定可能であるか、又は１以上の固定値である）に含まれる必要がないとみなしてよい。本実装形態のいくつかの態様において、ＵＥがＹバイト以下である上りリンク許可を受信した場合、ＵＥは、測定結果が事前測定結果レポートメッセージ（ここで、Ｙは設定可能であるか、又は０より大きい固定値である）に含まれる必要がないとみなしてよい。
【００９０】
本実装形態のうちのいくつかにおいて、ＵＥは、いかなる早期測定結果を基地局にレポートすることなく、又は早期測定結果を基地局にレポートすることに加えて、格納されたＤＣ設定又はＣＡ設定を再開する（又は再開しない）ために、現在のサービング基地局にのみ通知してよい。すなわち、ＵＥは、以前のＤＣモード又は以前のＣＡモードを再開することを現在のサービング基地局に指示してよい一つ以上のインジケータ（例えば専用シグナリング）を含んでよい。
【００９１】
図６は、本出願の例示的な実装形態による、ＵＥのためのデュアル接続性（dual connectivity:ＤＣ）／キャリアアグリゲーション（carrier aggregation:ＣＡ）モードを設定するための例示的な実装形態を示すダイアグラム６００である。図６に示すように、ダイアグラム６００は、ＵＥ６１０、現在のサービング基地局６２０、様々な時点において、互いに通信し、他のネットワークエンティティと通信する（他のネットワークエンティティの中で）直前のサービング基地局６３０を含んでよい。二つの異なる基地局として示されているが、現在のサービング基地局６２０及び直前のサービング基地局６３０は、同じ基地局であってもよいことに留意されたい。図６に示すアクション６４２、６４６〜６５０、６５４、及び６５６はそれぞれ、上述したように、図２のアクション２４２、２４６〜２５０、２５４、及び２５６と類似している。
【００９２】
図６に示すように、アクション６４０において、直前のサービング基地局６３０は、高速セットアップＤＣモード及び／又はＣＡモードのための再開基準（又は基準）とともにサスペンド設定を含むＲＲＣ解放メッセージをＵＥ６１０に送ってよい。本実装形態のいくつかにおいて、再開基準は、格納されたＤＣ設定及び／又はＣＡ設定を再開するための基準を指示してよい。一例として、セル＃１及びセル＃２がそれぞれ、格納されたＤＣ設定の潜在的なＰＣｅｌｌ及び潜在的なＰＳＣｅｌｌである場合、再開基準は、セル＃１及びセル＃２のセル品質の閾値をセットしてよい。次にセル＃１のセル品質が定義された閾値を上回り、セル＃２のセル品質が定義された閾値を上回る場合、ＵＥ６１０は、格納されたＤＣ設定が再開されてもよいことを現在のサービング基地局６２０に通知するためのインジケータを送ってもよい。本実装形態のいくつかにおいて、再開基準は、ＤＣモード及び／又はＣＡモードのために監視されるセルのリストを指示してもよい。
【００９３】
本実装形態のいくつかにおいて、ＵＥ６１０は、ＤＣモードを再開するために、（例えば直前のサービング基地局６３０から受信された再開基準において）ＰＣｅｌｌ（複数可）及びＰＳＣｅｌｌ（複数可）ペアを受信してよい。本実装形態のいくつかにおいて、ＵＥ６１０は、ＣＡモード再開のために、（例えば直前のサービング基地局６３０から受信された再開基準において）セルのグループを受信してよい。本実装形態のいくつかにおいて、再開基準は、（現在のサービング基地局６２０に）ＵＥ６１０がそれ自体を静止しているＵＥである、とみなす方法を指示してよい。本実装形態の一態様において、そういった考慮は、非アクティブ状態に入る前にＵＥが接続されるセルのセル品質（例えば基準信号受信電力（ＲＳＲＰ）、基準信号受信品質（ＲＳＲＱ）など）の変動に基づいてよい。ＵＥが、ＵＥを静止していると判定した場合、ＵＥは、ＤＣモード再開、又はＣＡモード再開に関連する一つ以上のインジケータを「真」としてセットしてよく、又はＤＣモード再開、又はＣＡモード再開のためのインジケータ（複数可）をＲＲＣメッセージ内に含んでよい。本実装形態のいくつかにおいて、直前のサービング基地局６３０は、ＲＲＣ解放メッセージ内に再開基準を含めなくてもよい。いくつかのそういった実装形態において、ＤＣモード再開又はＣＡモード再開のためのインジケータ（複数可）をセットするかどうかは、ＵＥの実装形態次第であってよい。
【００９４】
アクション６４４において、本実装形態のいくつかにおいて、ＵＥ６１０は、アクション６４０において受信された再開基準に基づいて測定を遂行してよい。本実装形態のいくつかにおいて、ＵＥ６１０は、直前のサービング基地局６３０から受信した再開基準に基づいて測定を実行するか否かを判定してよい。例えばＵＥ６１０は、ＵＥの電力状態、ＵＥのモビリティ状態などに基づいて測定を遂行することを決定してよい。本実装形態のいくつかにおいて、ＵＥ６１０は、受信された再開基準のための測定手順（複数可）の遂行をいつ開始すべきかを判定してよい（例えばＵＥはセルが離れていることを検出したとき、ＵＥは、測定手順の遂行を開始してよい）。本実装形態のいくつかにおいて、ＵＥ６１０は、ＲＲＣ接続再開がトリガされるか、又はトリガされているとき、受信された再開基準のための一つ以上の測定手順を遂行することを開始してよい。
【００９５】
アクション６５２において、ＵＥ６１０は、（格納されたＩ−ＲＮＴＩから導出される）再開ＩＤ、及びＤＣモード再開、又はＣＡモード再開のためのインジケータを搬送するＲＲＣ再開要求メッセージを、現在のサービング基地局６２０に送ってよい。ＤＣモード再開のためのインジケータが存在する（又は「真」にセットされる）場合、ＤＣのための再開基準が満たされ、ＵＥ側の記憶されたＤＣ設定が再開されてよいことを意味し、同様に、ＣＡモード再開のためのインジケータが存在する（又は「真」にセットされる）場合、ＣＡのための再開基準が満たされ、ＵＥ側の記憶されたＣＡ設定が再開されてよいことを意味する。本実装形態のいくつかにおいて、ＵＥ６１０は、ＤＣモード再開のためのターゲットＰＣｅｌｌ及びターゲットＰＳＣｅｌｌに関する関連情報を、他の（例えば以下の）ＲＲＣメッセージ（複数可）内で送ってよい。本実装形態のいくつかにおいて、ＵＥ６１０は、他の（例えば以下の）ＲＲＣメッセージ（複数可）、ＣＡモードレジュームのために、ターゲットＰＣｅｌｌ及び関連するセカンダリセル（複数可）に関する関連情報を、他の（例えば以下の）ＲＲＣメッセージ（複数可）内で送ってもよい。本実装形態のいくつかにおいて、ＤＣモード再開のためのインジケータ及び／又はＣＡモード再開のためのインジケータは、ＲＲＣ再開要求メッセージの再開原因に含まれてよい。すなわち、ＤＣモード再開のインジケータは、再開原因の一つであってもよい。同様に、ＣＡモード再開のインジケータは、再開原因の一つであってもよい。
【００９６】
アクション６５８において、現在のサービング基地局６２０がＲＲＣ再開要求メッセージにおいてＤＣモード再開又はＣＡモード再開のためのインジケータ（複数可）を受信するとき、基地局６２０は、本実装形態のいくつかにおいて、ＵＥのためのＤＣモード又はＣＡモードをセットするかどうかを判定してよい。現在の基地局は、ＡＭＦへの経路切り替え手順を遂行してよく、直前のサービング基地局６３０においてＵＥリソースの解放をトリガしてもよいことに留意されたい。
【００９７】
アクション６６０において、ＲＲＣ再開要求メッセージを受信した後、現在のサービング基地局６２０は、現在の実装形態のいくつかにおいて、ＲＲＣ非アクティブ状態からＲＲＣ接続状態にＵＥ６１０を移動してよい。ＵＥ６１０をＲＲＣ非アクティブ状態から接続状態に移動するために、現在のサービング基地局６２０は、ＲＲＣ再開メッセージを送ってよく、ＲＲＣ再開メッセージは、ＵＥ６１０をＤＣモード又はＣＡモードに直接セットしてよい。アクション６６２において、ＲＲＣ再開メッセージを受信した後、ＵＥ６１０は、メッセージ内で受信した設定を適用し、ＲＲＣ再開完了メッセージを現在のサービング基地局６２０に送り返してよい。
【００９８】
本実装形態のいくつかにおいて、直前のサービング基地局６３０は、ＲＲＣ解放メッセージ（例えばアクション６４０）内に再開基準を含めなくてもよい。いくつかのそういった実装形態において、ＤＣモード再開及び／又はＣＡモード再開のためのインジケータ（複数可）をセットするかどうかはＵＥ６１０の実装形態次第であってよい。すなわち、ＵＥ６１０は、格納されたＤＣ設定が再開されてよい、とみなす場合、ＵＥは、本実装形態のいくつかにおいて、ＤＣモード再開のためのインジケータを現在のサービング基地局６２０に送ってよい。同様に、ＵＥ６１０は、記憶されたＣＡ設定が再開されてよい、と見なす場合、ＵＥは、本実装形態のいくつかにおいて、ＣＡモード再開のためのインジケータを、現在のサービング基地局６２０に送ってよい。
【００９９】
更に、本実装形態の一態様において、ＵＥ６１０は、格納されたＤＣ設定を再開させてよい、と判定した場合、ＵＥ６１０は、ＤＣモード再開のための有用な（利用可能である）測定結果を、参照のために現在のサービング基地局６２０に送ってよい。同様に、ＵＥ６１０は、格納されたＣＡ設定が再開されてよい、とみなす場合、ＵＥ６１０は、ＣＡモード再開のための利用可能な測定結果を、参照のために現在のサービング基地局６２０に送ってよい。
【０１００】
図７は、本出願の例示的な実装形態による、ＵＥのためのＤＣ／ＣＡモードをセットアップするための例示的な実装形態を示すダイアグラム７００である。図７に示すように、ダイアグラム７００は、ＵＥ７１０、現在のサービング基地局７２０、様々な時点において、互いに通信し、他のネットワークエンティティと通信する（他のネットワークエンティティの中で）直前のサービング基地局７３０を含んでよい。二つの異なる基地局として示されているが、現在のサービング基地局６２０及び直前のサービング基地局６３０は、同じ基地局であってもよいことに留意されたい。図７に示すアクション７４０〜７５０、７５４、及び７５６はそれぞれ、上述したように、図６のアクション６４０〜６５０、６５４、及び６５６と同様である。
【０１０１】
アクション７５２において、ＵＥ７１０は、再生ＩＤ（記憶されたＩ−ＲＮＴＩから導出される）を現在のサービング基地局７２０に搬送するＲＲＣ再生要求メッセージを送ってよい。ＵＥからＲＲＣ再開要求メッセージを受信した後、現在のサービング基地局７２０は、ＵＥ７１０を現在の非アクティブ状態からＲＲＣ接続状態に移動してよい。ＵＥ７１０をＲＲＣ非アクティブ状態から接続状態に移動するために、現在のサービング基地局７２０は、アクション７５８において、ＲＲＣ再開メッセージをＵＥ７１０に送ってよい。
【０１０２】
ＲＲＣ再開メッセージを受信した後、アクション７６０において、ＵＥ７１０は、メッセージで受信した設定を適用し、ＲＲＣ再開完了メッセージを現在のサービング基地局７２０に送り返してよい。ＵＥ７１０が基地局７２０に送るＲＲＣ再開完了メッセージは、ＤＣモード再開又はＣＡモード再開のための一つ以上のインジケータ（複数可）を含んでよい。ＤＣモード再開のインジケータが存在する、又は「真」にセットされている場合、ＤＣの再開基準が満たされ、ＵＥ側の記憶されたＤＣ設定が再開されてよいことを意味する。逆に、ＣＡモード再開のインジケータが存在する、又は「真」にセットされている場合、ＣＡの再開基準が満たされ、ＵＥ側の記憶されたＣＡ設定が再開されてよいことを意味する。
【０１０３】
本実装形態のいくつかにおいて、ＵＥ７１０は、ＲＲＣ再開完了メッセージ又は以下のＲＲＣメッセージ内で、ＤＣモード再開のためのターゲットＰＣｅｌｌ及びターゲットＰＳＣｅｌｌに関する関連情報を含んでもよい。本実装形態のいくつかにおいて、ＵＥは、ＲＲＣ再開要求メッセージ又は以下のＲＲＣメッセージ内で、ターゲットＰＣｅｌｌに関する関連情報及びＣＡモード再開のための関連するセカンダリセルを含んでよい。
【０１０４】
アクション７６２において、ＲＲＣ再開完了メッセージ内のＤＣモード再開又はＣＡモード再開のためのインジケータを受信した後、現在のサービング基地局７２０は、それに応じてＵＥ７１０のためのＤＣモード又はＣＡモードをセットするかどうかを決定してよい。現在のサービング基地局７２０は、ＡＭＦへの経路切り替え手順を遂行してよく、直前のサービング基地局７３０におけるＵＥ７１０のリソースの解放をトリガしてもよいことに留意されたい。
【０１０５】
最後に、アクション７６４において、現在のサービング基地局７２０は、ＵＥ７１０のＤＣモード又はＣＡモードをセットするために、ＲＲＣ再構成メッセージをＵＥ７１０に送ってよい。本実装形態のいくつかにおいて、ＵＥ７１０は、再開基準に基づいた利用可能な測定結果がある場合、ＤＣモード再開又はＣＡモード再開のための一つ以上のインジケータを別のＲＲＣメッセージ内に含んでよい。本実装形態のいくつかにおいて、直前のサービング基地局７３０は、ＲＲＣ解放メッセージ（例えばアクション７４０内）に再開基準を含めなくてよい。いくつかのそのような実装形態において、ＤＣモード再開又はＣＡモード再開のためのインジケータ（複数可）をセットするかどうかはＵＥ７１０の実装形態次第であってよい。
【０１０６】
図８は、本出願の様々な態様による、無線通信のためのノードのブロックダイアグラムを示す。図８に示すように、ノード８００は、トランシーバ８２０、プロセッサ８２６、メモリ８２８、一つ以上のプレゼンテーション部品８３４、及び少なくとも一つのアンテナ８３６を含んでよい。ノード８００はまた、無線周波数（ＲＦ）スペクトル帯域モジュール、基地局通信モジュール、ネットワーク通信モジュール、及びシステム通信管理モジュール、入力／出力（Ｉ／Ｏ）ポート、Ｉ／Ｏコンポーネント、電源（図８には明示的に示されていない）を含んでよい。これらのコンポーネントのそれぞれは、一つ以上のバス８４０を介して、直接的又は間接的に互いに通信してよい。
【０１０７】
送信機８２２及び受信機８２４を有するトランシーバ８２０は、時間及び／又は周波数リソース分割情報を送信及び／又は受信するために構成されてよい。いくつかの実装形態において、トランシーバ８２０は、使用可能、使用不可能、及び柔軟に使用可能なサブフレーム及びスロット形態を含んでいるが、これらに限定されない、異なるタイプのサブフレーム及びスロットで送信するために構成されてよい。トランシーバ８２０は、データを受信し、シグナリングを制御するために構成されてよい。
【０１０８】
ノード８００は、様々なコンピュータ読み取り可能媒体を含んでよい。コンピュータ読み取り可能媒体は、ノード８００によってアクセス可能であり、揮発性及び不揮発性媒体、リムーバブル及び非リムーバブル媒体の両方を含む、任意の利用可能な媒体とすることができる。限定ではなく例として、コンピュータ読み取り可能媒体は、コンピュータ記憶媒体及び通信媒体を含んでよい。コンピュータ記憶媒体は、コンピュータ読み取り可能命令、他データ構造、プログラムモジュール、又は他のデータといった情報を記憶するための任意の方法又は技術で実装される、揮発性及び不揮発性、リムーバブル及び非リムーバブル媒体の両方を含む。
【０１０９】
コンピュータ記憶媒体は、ＲＡＭ、ＲＯＭ、ＥＥＰＲＯＭ、フラッシュメモリ又は他のメモリ技術、ＣＤ−ＲＯＭ、デジタル多用途ディスク（digital versatile disks:ＤＶＤ）又は他の光ディスク記憶装置、磁気カセット、磁気テープ、磁気ディスク記憶装置又は他の磁気記憶装置を含む。コンピュータ記憶媒体は、伝播データ信号を含まない。通信媒体は、一般的に、コンピュータ読み取り可能命令、データ構造、プログラムモジュール、又は他のデータを、搬送波又は他のトランスポート機構などといった変調データ信号で具現化し、任意の情報配信媒体を含む。「変調されたデータ信号」という用語は、その特性のうちの一つ以上が信号内に情報を符号化するためにセット又は変更された信号を意味する。限定ではなく例として、通信媒体は、有線ネットワーク又は直接有線接続などといった有線媒体、音響、ＲＦ、赤外線、及び他の無線媒体などといった無線媒体を含む。上記のいずれかの組合せも、コンピュータ読み取り可能媒体の範囲内に含まれるべきである。
【０１１０】
メモリ８２８は、揮発性及び／又は不揮発性メモリの形態のコンピュータ記憶媒体を含んでよい。メモリ８２８は、リムーバブル、非リムーバブル、又はそれらの組み合わせであってもよい。例示的なメモリは、ソリッドステートメモリ、ハードドライブ、光ディスクドライブなどを含む。図８に示すように、メモリ８２８は、コンピュータ読み取り可能なコンピュータ実行可能命令８３２（例えばソフトウェアコード）を記憶することができ、これは、実行されたとき、プロセッサ８２６に、例えば、図１から図８を参照して、本明細書に記載される様々な機能を遂行させるために構成される。別の方法として、命令８３２がプロセッサ８２６によって直接実行可能ではなく、ノード８００（例えばコンパイルされ実行されるとき）に本明細書に記載される様々な機能を遂行させるために構成されてもよい。
【０１１１】
プロセッサ８２６は、インテリジェントハードウェアデバイス、例えば、中央処理装置（ＣＰＵ）、マイクロコントローラ、ＡＳＩＣなどを含んでよい。プロセッサ８２６は、メモリを含んでもよい。プロセッサ８２６は、メモリ８２８から受信したデータ８３０及び命令８３２、並びにトランシーバ８２０、ベースバンド通信モジュール、及び／又はネットワーク通信モジュールを介した情報を処理してよい。プロセッサ８２６はまた、コアネットワークへの送信のために、アンテナ８３６を介してネットワーク通信モジュールに送信するためにトランシーバ８２０に送られる情報を処理してよい。
【０１１２】
一つ以上のプレゼンテーション部品８３４は、人又は他のデバイスにデータ表示を提示する。例えば一つ以上のプレゼンテーション部品８３４は、表示デバイス、スピーカー、印刷部品、振動部品等を含む。
【０１１３】
上記の説明から、様々な技術は、それらの概念の範囲から逸脱することなく、本出願に記載された概念を実装するために使用されることができることが明らかである。更に、概念は、特定の実装形態を特に参照して説明されてきたが、当業者はこれらの概念の範囲から逸脱することなく、形態及び詳細において変更を行うことができることを認識することができる。したがって、説明された実装形態はすべての点において、例示的なものであり、限定的なものではないと考慮されるべきである。また、本出願は、上述の特定の実装形態に限定されるものではなく、本開示の範囲から逸脱することなく、多くの再構成、修正、及び置換が可能であることを理解されたい。
【図面の簡単な説明】
【０１１４】
【図１】図１は、本出願の例示的な実装形態による、ＵＥがＲＲＣ非アクティブ状態にある間に、サービング基地局のための早期測定結果を準備するためにＵＥによって遂行される方法（又はプロセス）を示すフローチャートである。
【図２】図２は、本出願の例示的な実装形態による、ＵＥによって早期測定を遂行すること、及び早期測定結果をサービングセルに提供することのための例示的な実装形態を示す図である。
【図３】図３は、本出願の例示的な実装形態による、ＵＥがＲＲＣ非アクティブ状態にある間に、早期測定結果を準備し、要求に応じて結果をサービング基地局に送信するためにＵＥによって遂行される方法（又はプロセス）を示すフローチャートである。
【図４】図４は、本出願の例示的な実装形態による、早期測定結果を準備すること、及び送信することのための例示的な実装形態を示す図である。
【図５】図５は、本出願の例示的な実装形態による、早期測定結果を準備すること、及び送信することのための例示的な実装形態を示す図である。
【図６】図６は、本出願の例示的な実装形態による、ＵＥのためのデュアル接続性（ＤＣ）／キャリアアグリゲーション（ＣＡ）モードをセットアップするための例示的な実装形態を示す図である。
【図７】図７は、本出願の例示的な実装形態による、ＵＥのためのＤＣ／ＣＡモードをセットアップするための例示的な実装形態を示す図である。
【図８】図８は、本出願の様々な態様に従った、無線通信のためのノードのブロック図を示す。
【図１】
2021531696.tif 000003
【図２】
2021531696.tif 000004
【図３】
2021531696.tif 000005
【図４】
2021531696.tif 000006
【図５】
2021531696.tif 000007
【図６】
2021531696.tif 000008
【図７】
2021531696.tif 000009
【図８】
2021531696.tif 000010
【国際調査報告】
2021531696.tif 000011
2021531696.tif 000012